(57)【要約】【課題】エネルギーの損失、周期の乱れなど、従来の脱進機の欠点を改善する時計用の脱進機を提供すること。【解決手段】本発明の戻止脱進機は、インパルス要素（７ａ）に固定されたテンプ輪と、ガンギ車（１）と、停止要素（２ａ）及び解放要素（２ｂ）を有する戻止揺動アーム（２）と、テンプ輪と共に回転するように拘束され、テンプ輪の振動周期ごとに１回、戻止揺動アーム（２）の解放要素（２ｂ）と係合する解放フィンガ（１１ｄ）とを備える。解放フィンガ（１１ｄ）は、慣性部材（１１）に固定され、テンプ輪の速度の変動によって引き起こされる慣性部材（１１）の移動により、一方の位置では、解放フィンガ（１１ｄ）の経路が揺動アーム（２）の解放要素（２ｂ）を通過し、他方の位置では、この経路がこの解放要素（２ｂ）を通過しない２つの末端位置の間で自由に移動する。【選択図】図１
2010145396.tif 000002
【特許請求の範囲】
【請求項１】
インパルス要素（７ａ）に固定されたテンプ輪と、その歯が前記インパルス要素（７ａ）の経路と交わるガンギ車（１）と、停止要素（２ａ）及び解放要素（２ｂ）を有する戻止揺動アーム（２）と、前記停止要素（２ａ）を前記ガンギ車（１）の前記歯の経路の中に係合するための手段（３）と、前記テンプ輪と共に回転するように拘束され、前記テンプ輪の振動周期ごとに１回、前記戻止揺動アーム（２）の前記解放要素（２ｂ）と係合し、前記停止要素（２ａ）を前記ガンギ車（１）の前記歯から解放する解放フィンガ（１１ｄ）とを備える時計用の戻止脱進機であって、前記解放フィンガ（１１ｄ）が、一方の位置では、前記解放フィンガ（１１ｄ）の経路が前記揺動アーム（２）の前記解放要素（２ｂ）を通過し、他方の位置では、この経路がこの解放要素（２ｂ）を通過しない２つの末端位置の間で自由に移動するように取り付けられた慣性部材（１１）に固定され、前記慣性部材に作用する慣性力によって生じる一方の位置から他方の位置への前記慣性部材（１１）の移動が、前記テンプ輪の振動の半サイクルそれぞれにおける前記テンプ輪の速度の変動によって引き起こされることを特徴とする戻止脱進機。
【請求項２】
前記慣性部材（１１）が平板（６）に取り付けられた要素であり、前記平板（６）が、前記テンプ輪のピボット軸に平行であり、かつ前記テンプ輪の前記ピボット軸がクリアランスを伴って貫通する開口部（１１ｃ）を備える前記要素の中心に対して偏心した軸のまわりで、ピボット部材（１０）を介して前記テンプ輪の前記ピボット軸に固定され、前記慣性部材（１１）の２つの限界位置が、前記テンプ輪の前記ピボット軸の両側に対称に位置する請求項１に記載の戻止脱進機。
【請求項３】
前記平板（６）及び前記慣性部材（１１）の前記要素を含む対の部材の一方の部材が、対称で直径上の対向する位置を占める２つのピン（１０、９）、すなわち、それぞれピボットピン及び角運動を制限するためのピンを備え、前記対の他方の部材が、前記ピン（１０、９）それぞれを受け入れるための２つの開口部（１１ｂ、１１ａ）を有し、前記開口部（１１ｂ、１１ａ）の軸が、相同及び対称で直径上の対向する位置を占め、前記慣性部材（１１）の前記要素が、前記テンプ輪の前記軸に押し込まれるように適合され、前記平板（６）に固定された管状要素（６ａ）を、クリアランスを伴って貫通させる中央の開口部を含む請求項２に記載の脱進機。
【請求項４】
前記テンプ輪の軸に押し込まれるように適合された前記管状要素（６ａ）が、前記インパルス要素（７ａ）を備えたリング（７）がその上で係合される一部円形の外側部分を有し、このリング（７）の開口部の部分が、前記管状要素（６ａ）の外側部分に相補的であり、このリング（７）が、保持リング（８）によって前記管状要素上に軸方向に保持される請求項３に記載の脱進機。
【請求項５】
前記停止要素（２ａ）を前記ガンギ車（１）の前記歯の前記経路の中に係合するための前記手段（３）が、戻しばね手段である請求項１から４のいずれか一項に記載の脱進機。
【発明の詳細な説明】
【技術分野】
【０００１】
本発明は、インパルス要素に固定されたテンプ輪と、その歯がインパルス要素の経路と交わるガンギ車と、停止要素及び解放要素を有する戻止揺動アームと、停止要素をガンギ車の歯の経路の中に係合するための手段と、テンプ輪と共に回転するように拘束され、テンプ輪の振動周期ごとに１回、揺動アームの解放要素と係合し、停止要素をガンギ車の歯から解放する解放フィンガまたはパレットとを備える時計用の戻止脱進機に関する。
【背景技術】
【０００２】
当該の戻止脱進機はガンギ車とテンプ輪の間にアンクルを使用しないため、テンプ輪のインパルスフィンガ上でのガンギ車のインパルスは、振動周期ごとに１回、または正逆回転に伴い交互に現れる遷移状態（ａｌｔｅｒｎａｔｉｏｎ）（１つの遷移状態が振動の半周期に対応する）の一方で、テンプ輪の一方の回転方向のみにおいて発生させることができる。
【０００３】
このタイプの脱進機は、一方ではガンギ車の歯の経路と交わる停止要素を、他方ではテンプ輪に固定された解放フィンガと係合する解放要素を含む、解放揺動アームを必要とする。この解放フィンガは、テンプ輪がガンギ車からインパルスを受け取る遷移状態の間以外は解放要素と係合してはならず、また停止要素は、他方の遷移状態の間、ガンギ車と係合したままでなければならない。
【０００４】
標準的な戻止脱進機では、解放揺動アームは板ばねを含み、板ばねの自由端が揺動アームの当接部を圧迫して、テンプ輪の解放フィンガの一方の回転方向ではブレードが揺動アームを駆動し、反対の回転方向では板ばねが曲がり、解放揺動アームを駆動せずに解放フィンガを通過させるようになっている。こうすることにより、ロビン脱進機のように、２つの交互に現れる遷移状態の一方の間にインパルスがテンプ輪に伝わらずにガンギ車が回転し、それによってエネルギーの損失、したがって効率の低下が引き起こされることを防止する。
【０００５】
戻止の可撓部分の寸法が、この脱進機の開発の重要なポイントの１つであることは明らかである。その通常の位置での当接を保持するには十分な剛性が必要であるが、同時に、ガンギ車を解放するまたは戻止機能を実施するためのエネルギーが高すぎてはならず、そのリスクは、著しい効率の低下及びシステムの停止をも伴う、テンプ輪及び渦巻ばねからなる振動機構にとって無視できない障害になる。さらに、ガンギ車を解放するのに必要なロック解除トルクは、板ばねの剛性に対して最低基準を課す動作上の安全機能（衝撃防護）でもある。
【０００６】
この機構は、主にマリンクロノメータに使用されている精巧なものであるが、完璧な動作が求められ、大量生産にはほとんど不向きである。この機構は壊れやすく、身につけるときに腕時計にかかる負荷に耐えることができない。またこの機構は、きわめて精密な調整が可能であり、したがって最も能力が高いクロノメータとしての性能を実現することができる優れた脱進機でもある。
【０００７】
特許文献１は、ばねを解放揺動アームではなくテンプ輪に固定することによって、板ばねの問題を解決することを提案している。その場合、ばねは渦巻ばねの形をとり、渦巻ばねの自由端は、渦巻ばねを曲げ、フィンガが戻止揺動アームをテンプ輪の一方の回転方向のみに引っ張るように設計された、半径方向の駆動面及び傾斜した解放面を有するフィンガの中で終わる。
【０００８】
興味深いものではあるが、この解決策は依然として、戻止揺動アームがガンギ車を解放しない場合には、渦巻ばねの力に打ち勝ち、フィンガを移動させて離す必要があり、テンプ輪＋渦巻ばねの組立体の周期への干渉、及びエネルギーの損失を生じさせる。
【先行技術文献】
【特許文献】
【０００９】
【特許文献１】欧州特許第１５３８４９０号
【発明の概要】
【発明が解決しようとする課題】
【００１０】
本発明の目的は、先に言及した欠点の少なくとも一部を改善することである。
【課題を解決するための手段】
【００１１】
このために、本発明の本質は、請求項１に記載の時計用の戻止脱進機にある。
【００１２】
この特徴により、一方の回転方向では解放フィンガの経路が揺動アームの解放要素を通過し、反対の回転方向ではこの経路がその解放要素の外側を通るように、テンプ輪の解放フィンガをその回転方向に応じて作動させるために、テンプ輪の振動運動を受ける部材の慣性を使用することが可能になる。
【００１３】
したがって、この戻止脱進機では、もはや解放フィンガはばねの力に打ち勝つ必要がない。このため、解放フィンガは弾性部材から離れるのにエネルギーを使用せず、またガンギ車が揺動アームによって解放されず、したがってテンプ輪にインパルスを伝えない遷移状態の間に、解放フィンガが戻止揺動アームの解放要素から離されるので、解放フィンガはテンプ輪の振動周期に乱れを生じさせない。
【００１４】
この脱進機の動作は、通常の戻止脱進機の場合に直面するいくつかのリスクに曝されることがない。慣性部材をその他の末端位置に移動させる衝撃の影響は、問題にならなくなる。あるケースでは、解放フィンガは引っ込められずに解放要素と出会い、慣性部材をごくわずかな力でその正しい位置に移動させる。他のケースでは、解放要素と係合せず、フィンガは解放要素と出会わないため、テンプ輪上での１つのインパルス及び歯車列の１つの増分が失われるが、これはきわめてまれな事象であるため、時計の正確な動作には影響を及ぼさない。
【００１５】
さらに、当該の脱進機の動作によって、通常の戻止脱進機の使用に伴ういくつかのリスクが低減される。時計に加えられる衝撃が、正常な動作角度からかけ離れたテンプ輪の回転を引き起こし、それによって、再び解放される歯車列に対してパルスを発生させる遷移状態になる恐れがある。これによって、同じ遷移状態の間に２つの解放及び２つのインパルスが生じるため、ギャロッピングが起こる。本発明のシステムは、この時点では既に解放フィンガがロック解除要素の経路から引っ込められ、ロック要素を移動させることはなく、したがって他のインパルスを生じさせないため、通常の問題には遭遇しない。
【００１６】
本発明の他の特徴及び利点は、概略図として、また例示のために本発明の戻止脱進機の一実施形態を示す添付図面を参照して述べる、以下の説明の中で明らかになるであろう。
【図面の簡単な説明】
【００１７】
【図１】テンプ輪の１つの振動周期の間の、様々な位置における本発明の戻止脱進機を示す図である。
【図２】テンプ輪の１つの振動周期の間の、様々な位置における本発明の戻止脱進機を示す図である。
【図３】テンプ輪の１つの振動周期の間の、様々な位置における本発明の戻止脱進機を示す図である。
【図４】テンプ輪の１つの振動周期の間の、様々な位置における本発明の戻止脱進機を示す図である。
【図５】テンプ輪の１つの振動周期の間の、様々な位置における本発明の戻止脱進機を示す図である。
【図６】テンプ輪の１つの振動周期の間の、様々な位置における本発明の戻止脱進機を示す図である。
【図７】テンプ輪の１つの振動周期の間の、様々な位置における本発明の戻止脱進機を示す図である。
【図８】図１の下からの部分図である。
【図９】図８の線ＩＸ−ＩＸに沿って得られる断面の図である。
【図１０】図９に示す部分の分解図である。
【図１１】横軸に秒単位の時間がプロットされ、縦軸に度単位の角度がプロットされた、テンプ輪の振動周期の間の慣性要素の角運動を示す図である。
【図１２】横軸に秒単位の時間がプロットされ、縦軸に度単位の角度がプロットされた、１つの振動周期にわたるテンプ輪の角変位を示す図である。
【発明を実施するための形態】
【００１８】
図２〜７は戻止脱進機をテンプ輪なしで示しており、テンプ輪のピボット軸と共に回転するように拘束されたインパルス解放デバイスのみが示してある。見やすいように、テンプ輪Ｂは図１にのみ示す。
【００１９】
戻止脱進機はガンギ車１を含み、ガンギ車１（図１〜７）は、それを反時計回り方向に回転させる最終歯車列（図示せず）によって香箱ばね（図示せず）に接続されている。
【００２０】
図１に示す位置では、ガンギ車１の１つの歯が、解放揺動アーム２の、有利にはパレットルビーで形成された停止要素である停止パレット２ａを圧迫している。この解放揺動アーム２は、それを当接部４に押し付けるばね３によって負荷を与えられ、その位置では、図１に示すように、停止パレット２ａはガンギ車の歯の経路の中に係合され、ガンギ車の１つの歯が停止パレット２ａを圧迫する。
【００２１】
テンプ輪のピボット軸に関係付けられたインパルス解放デバイスを、図８〜１０に示す。このデバイスは、テンプ輪の軸にうまくはまるように設計された管状要素６ａを有する円形平板６を含む。この管状要素６ａは、２つの平坦で平行な外面６ｂ（図８）が交差する円形の外側部分を有し、その上に、管状要素６ａの外側部分に相補的な部分を備えた開口部７ａ（図１０）を含むインパルスリング７が係合される。インパルスリング７は、押し込まれた２つの保持リング８ａ、８ｂの間で軸方向に保持される。
【００２２】
インパルスリング７は、インパルスリング７の外側側面から突出したインパルスフィンガまたは面７ｂを有する。インパルリングのフィンガは、パレットなど取り付けられた要素とすることができる。
【００２３】
この例では半円形断面である２つのピン９及び１０がそれぞれ、平板６内の直径上で対向する孔６ｃ、６ｄの中に押し込まれる。
【００２４】
この例では楕円形の慣性部材１１は、３つの開口部１１ａ、１１ｂ、１１ｃを備え、そのうち２つの開口部１１ａ、１１ｂは偏心しており、対称で直径上に対向していることが好ましい。これらの開口部の一方１１ｂは半円形であり、慣性部材１１のピボット部材を構成するピボットピン１０を受け入れ、その角運動を可能にするように、１８０°より大きい角度のところで２つの半径によって境界を定められる。他方の開口部１１ａは、ピン９を受け入れるように細長くなっている。第３の開口部は、平板６の環状部分６ａがクリアランスを伴って貫通する中央の開口部１１ｃであり、開口部１１ａ及びピン９がない場合には、慣性部材１１の角変位を制限するように働くことができる。慣性部材１１の外側側面からは、解放フィンガ１１ｄが突出している。この解放フィンガ１１ｄは、この例では図８に示すように、慣性部材１１の中心に対して半径方向を向いた駆動面及び傾斜面を有する三角形のものである。解放フィンガ１１ｄもフィンガ７ｂのように、取り付けられたパレットルビーによって形成することができる。解放フィンガ１１ｄの傾斜面は、慣性要素である平板６が退避位置にあるべきときに、衝撃によってそれが突出位置へ移動した場合、平板６を押し戻すように働く。
【００２５】
図９に示すように、慣性部材１１は管状部分６ａの基部に存在する。図１０に見られるように、開口部１１ａ、１１ｂ、１１ｃは、慣性部材１１が、テンプ輪のピボットピン上に押し込まれた平板６の軸に平行であり、慣性部材１１のピボット部材を構成するピン１０の軸のまわりで限られた角運動を行うことができるように、位置、大きさ及び形を定められる。細長い開口部１１ａは、開口部１１ｂ、１１ｃのそれぞれの軸を通る慣性要素１１の直径に対して対称に延びており、したがって、慣性部材１１の２つの限界位置は、テンプ輪のピボット軸の両側に対称に位置する。
【００２６】
テンプ輪の釣り合いに対する影響を最小限に抑えるために、２つの開口部１１ａ、１１ｂの軸は、慣性部材１１の中心に対して対称で直径上の対向する位置を占める。ピン９、１０は、それぞれの開口部１１ａ、１１ｂと協働するように、対応する円形平板６の中心に対して対称で直径上の対向する位置を占める。
【００２７】
図１において、慣性部材１１が占める角位置は、解放フィンガ１１ｄが円形平板６の周縁部の外側に突出する位置に対応する。時計回りに回転すると、三角形のフィンガの半径方向の面が、解放揺動アーム２の自由端に位置する解放要素２ｂと出会い、その結果、図２に示すように、解放フィンガ１１ｄが、戻しばね３の圧力に逆らって解放揺動アーム２を持ち上げる。
【００２８】
ガンギ車１は、最終歯車列を介して香箱ばねによって張力をかけられ、解放されるとすぐに反時計回り方向に駆動され、その結果、図３に示すように、ガンギ車１の歯がインパルスフィンガ７ｂと出会い、香箱ばねからの力を直接テンプ輪に伝える。
【００２９】
図４は、解放揺動アームが解放フィンガ１１ｄによって解放された後、解放揺動アーム２を当接部４に接する位置まで戻すばね３を示しており、その結果、インパルスフィンガ７ｂによってガンギ車の歯が解放されると、図５に示すように、ガンギ車の他の歯が解放揺動アーム２の停止パレット２ａによって止められる。
【００３０】
図５は、テンプ輪の回転方向が時計回り方向から反対方向に逆転することも示している。テンプ輪の軸は、インパルスフィンガ７ｂ及び解放フィンガ１１ｄと共に回転するように拘束されている。テンプ輪は渦巻ばねによって減速され、その速度がゼロを通過すると、テンプ輪が反対の回転方向に駆動される。
【００３１】
慣性部材１１は、テンプ輪の回転方向に応じた２つの安定位置を有する。試験によって、慣性部材１１は、テンプ輪がその振動周期を構成する２つの交互に現れる遷移状態のそれぞれを完了する前に移動するが、そのピン１０のまわりでの回転はテンプ輪の死点（角度０の位置）の近くで始まることが示されている。
【００３２】
死点ではテンプ輪の速度が最大になり、したがって、テンプ輪は正の加速度から負の加速度に移り（減速を開始し）、この時点において、慣性の効果がそれ自体に影響を与え始める。
【００３３】
この挙動は、慣性部材１１の慣性（特にその材料及び形状）、ならびに慣性部材１１とそれに接触する面との間の摩擦によって決まり、また（テンプ輪の回転軸に対してずれている）慣性部材１１の質量中心に作用し、テンプ輪によって生じる慣性加速度に加わる遠心力の効果による影響も受ける。
【００３４】
図５に示す段階では、慣性部材１１はピン１０の軸のまわりを時計回りに移動してきている。この位置では、解放フィンガ１１ｄは、円形平板６の周縁縁部の内側に引っ込められる。
【００３５】
結果として、図６に示すように、解放フィンガ１１ｄは、解放要素２ｂの前方を通過するときに、解放揺動アーム２と協働しなくなる。直接インパルスを伝達するすべての周知の脱進機とは異なり、解放フィンガ１１ｄには、テンプ輪の当該の遷移状態の間に障害物である戻止揺動アーム２の要素２ｂに打ち勝ってこれを通過するための弾性部材がなく、解放フィンガ１１ｄが平板６の円形周縁部の内側に引っ込められているため、テンプ輪は、インパルスを受け取らずにその振動運動を維持する。したがって、エネルギーの損失がなく、テンプ輪の振動周期に乱れを生じさせない。
【００３６】
テンプ輪Ｂが、その反時計回り方向の回転の終端に達すると（図７）、それが減速することによって慣性部材１１を移動させ、再び解放フィンガ１１ｄが平板６の円形周縁部の外側に突出する位置に戻す。
【００３７】
図１１は、１つの振動周期中のテンプ輪の角変位に関する図である。これを、平板６に固定されたピン９に交互に当接する開口部１１ａの２つの半径方向縁部によって決まる、慣性部材１１のその２つの限界位置の間での変位角度を示す図１２と比較すべきである。
【００３８】
慣性部材１１のその２つの限界位置の間での角運動は、わずか数度、典型的には５°〜１０°程度であり、この２つの限界位置は、テンプ輪のピボット軸の両側に対称に位置している。この慣性部材１１は低比質量の材料で製造することが可能であるが、慣性の効果は依然としてその機能を保証するのに十分なものになる。外面の幾何的形状に関して選択が自由であることは、慣性要素を対称形で製造することが可能であり、それによって、不均衡の増大が低く抑えられることが保証されることを意味する。経験から、シリコンなど比較的低密度の材料の場合、テンプ輪の釣り合いに対する影響はごくわずかであることが示されている。
【００３９】
ＬＩＧＡ技術を用いて、テンプ輪の釣り合いに対する影響はごくわずかであると考えられるような、薄い、典型的には０．１０〜０．１５ｍｍ程度の厚さのニッケルの慣性部材１１を製造することが可能である。
【符号の説明】
【００４０】
Ｂ  テンプ輪
１  ガンギ車１
２  解放揺動アーム
２ａ  停止要素
２ｂ  解放要素
３  ばね
４  当接部
６  平板
６ａ  管状要素
７  インパルスリング
７ａ  開口部
７ｂ  インパルスフィンガ
８ａ、８ｂ  保持リング
９、１０  ピン
１１  慣性部材
１１ａ、１１ｂ、１１ｃ  開口部
１１ｄ  解放フィンガ
【図１】
2010145396.tif 000003
【図２】
2010145396.tif 000004
【図３】
2010145396.tif 000005
【図４】
2010145396.tif 000006
【図５】
2010145396.tif 000007
【図６】
2010145396.tif 000008
【図７】
2010145396.tif 000009
【図８】
2010145396.tif 000010
【図９】
2010145396.tif 000011
【図１０】
2010145396.tif 000012
【図１１】
2010145396.tif 000013
【図１２】
2010145396.tif 000014